(57)【特許請求の範囲】
【請求項１】
ケース（１）の側面カバー（１６，１９）に固定された主軸（９）の軸心たるＡ点を中心として回転するロータ（２）と、ロータ（２）の内部にＡ点を中心として放射状に複数設けられたシリンダ（３）と、シリンダ（３）内に摺動自在に配設されたピストン（４）と、ロータ（２）の側方に同心で固定された歯車（１４）と、
ロータ（２）の側方に配設され、主軸（９）に一体に設けられた偏心軸部（２４）の軸心たるＢ点を中心として回転自在の連結輪（７）とを備え、
シリンダ（３）は、その側壁を貫通しＡ点を中心として放射状に設けられピストン（４）を貫通するピストンピン（５）が放射状に移動自在に貫通される切り込み（６）と、その底部に開口する吸入・吐き出し兼用の開口部（１５）とを有し、
連結輪（７）はピストンピン（５）がＢ点を中心として円周方向に所定量移動自在にはめ込まれる彫り込み（１７）を有し、
主軸（９）は、左側から軸方向に略中央部まで延びる吸入用流路（１２）と、吸入用流路（１２）とは別個に右側から略中央部まで延びる吐き出し用流路（１３）と、吸入用流路（１２）とロータ（２）の開口部（１５）とを連通する吸入口（１０）と、吐き出し用流路（１３）とロータ（２）の開口部（１５）とを連通する吐き出し口（１１）とを有し、
ロータ（２）が歯車（１４）によって回転されると、ロータ（２）内のピストン（４）及びピストンピン（５）とがロータ（２）と共に回転されると共に、ピストンピン（５）によって彫り込み（１７）を介して連結輪（７）が回転され、ピストン（４）が主軸（９）に接近する箇所でシリンダ（３）の開口部（１５）が吐き出し口（１１）を介して吐き出し用通路（１３）と連通し、ピストン（４）が主軸（９）から遠ざかる箇所でシリンダ（３）の開口部（１５）が吸入口（１０）を介して吸入用流路（１２）と連通することを特徴とするロータリポンプの偏心回転装置。
【請求項２】
ケース（１）の側面カバー（１６，１９）に固定された主軸（９）の軸心たるＡ点を中心として回転するロータ（２）と、ロータ（２）の内部にＡ点を中心として放射状に複数設けられたシリンダ（３）と、シリンダ（３）内に摺動自在に配設されたピストン（４）と、ロータ（２）の側方に同心で固定された歯車（１４）と、
ロータ（２）の側方に配設され、ケース（１）の側面カバー（１６）に一体に設けられた偏心軸部（２３）の軸心たるＢ点を中心として回転自在の連結輪（７）とを備え、
シリンダ（３）は、その側壁を貫通しＡ点を中心として放射状に設けられピストン（４）を貫通するピストンピン（５）が放射状に移動自在に貫通される切り込み（６）と、その底部に開口する吸入・吐き出し兼用の開口部（１５）とを有し、
連結輪（７）はピストンピン（５）がＢ点を中心として円周方向に所定量移動自在にはめ込まれる彫り込み（１７）を有し、
主軸（９）は、左側から軸方向に略中央部まで延びる吸入用流路（１２）と、吸入用流路（１２）とは別個に右側から略中央部まで延びる吐き出し用流路（１３）と、吸入用流路（１２）とロータ（２）の開口部（１５）とを連通する吸入口（１０）と、吐き出し用流路（１３）とロータ（２）の開口部（１５）とを連通する吐き出し口（１１）とを有し、
ロータ（２）が歯車（１４）によって回転されると、ロータ（２）内のピストン（４）及びピストンピン（５）とがロータ（２）と共に回転されると共に、ピストンピン（５）によって彫り込み（１７）を介して連結輪（７）が回転され、ピストン（４）が主軸（９）に接近する箇所でシリンダ（３）の開口部（１５）が吐き出し口（１１）を介して吐き出し用通路（１３）と連通し、ピストン（４）が主軸（９）から遠ざかる箇所でシリンダ（３）の開口部（１５）が吸入口（１０）を介して吸入用流路（１２）と連通することを特徴とするロータリポンプの偏心回転装置。
【発明の詳細な説明】
【０００１】
【発明の属する技術分野】
本発明はロータリポンプの偏心回転装置に関する。
【０００２】
【従来の技術】
従来のロータリポンプの偏心軸は、二つの曲軸を接続し使用している。「例えば特願平１１ー３５２１８４号」
【０００３】
【発明が解決しようとする課題】
従来のロータリポンプは二つの曲軸を接続して用いている。
そのため構造上の欠陥が指摘され安定した起動は望めない。そこで一体の軸にして安定した作動が得られるようにすることを目的とした。
【０００４】
【課題を解決する手段】
上記目的を達成させるため本発明のロータリポンプの偏心回転装置は、ケース（１）の側面カバー（１６，１９）に固定された主軸（９）の軸心たるＡ点を中心として回転するロータ（２）と、ロータ（２）の内部にＡ点を中心として放射状に複数設けられたシリンダ（３）と、シリンダ（３）内に摺動自在に配設されたピストン（４）と、ロータ（２）の側方に同心で固定された歯車（１４）と、ロータ（２）の側方に配設され、主軸（９）に一体に設けられた偏心軸部（２４）の軸心たるＢ点を中心として回転自在の連結輪（７）とを備え、シリンダ（３）は、その側壁を貫通しＡ点を中心として放射状に設けられピストン（４）を貫通するピストンピン（５）が放射状に移動自在に貫通される切り込み（６）と、その底部に開口する吸入・吐き出し兼用の開口部（１５）とを有し、連結輪（７）はピストンピン（５）がＢ点を中心として円周方向に所定量移動自在にはめ込まれる彫り込み（１７）を有し、主軸（９）は、左側から軸方向に略中央部まで延びる吸入用流路（１２）と、吸入用流路（１２）とは別個に右側から略中央部まで延びる吐き出し用流路（１３）と、吸入用流路（１２）とロータ（２）の開口部（１５）とを連通する吸入口（１０）と、吐き出し用流路（１３）とロータ（２）の開口部（１５）とを連通する吐き出し口（１１）とを有し、ロータ（２）が歯車（１４）によって回転されると、ロータ（２）内のピストン（４）及びピストンピン（５）とがロータ（２）と共に回転されると共に、ピストンピン（５）によって彫り込み（１７）を介して連結輪（７）が回転され、ピストン（４）が主軸（９）に接近する箇所でシリンダ（３）の開口部（１５）が吐き出し口（１１）を介して吐き出し用通路（１３）と連通し、ピストン（４）が主軸（９）から遠ざかる箇所でシリンダ（３）の開口部（１５）が吸入口（１０）を介して吸入用流路（１２）と連通することを特徴とする。
また、本発明のロータリポンプの偏心回転装置の連結輪（７）は、ロータ（２）の側方に配設され、ケース（１）の側面カバー（１６）に一体に設けられた偏心軸部（２３）の軸心たるＢ点を中心として回転自在であってもよい。
【０００５】
【発明の実施の形態】
発明の実施の形態を図面にもとづき説明する。
図１は平面を示し図２は断面を示す。なを図２の断面図のなかで吸入用彫り込み１０と吐き出し用彫り込み１１は流路１２と１３の接続を説明しやすくするため上部より表してある。
１．ロータ２に複数のシリンダ３を放射状にもうけシリンダ３の左右側面に切り込み６をもうける。更にシリンダ底部に吸入、吐き出し兼用の開口部１５をもうけロータに軸９をはめ込む穴をもうけておく。そして側面に歯車１４を取り付ける取り付け部８をもうける。
２．シリンダ３にピストン４を挿入してピストンピン５の両端をシリンダの左右の切り込み６から突き出しておく。
３．ロータ２に軸９をはめ込む。軸９は吸入用の彫り込み１０と吐き出し用彫り込み１１をもうけ、更に吸入用流路１２と吐き出し用流路１３をもうけておく。そして吸入用流路１２と吸入用彫り込み１０を接続する、一方吐き出し用彫り込み１１と吐き出し用流路１３を接続する。更に軸中央部に偏心軸部２４をもうけておく。
４．軸９の偏心軸部２４に連結輪７をはめ込む。連結輪７は複数の連結軸を車輪状にまとめ一体にしたものである、そして連結輪７にはピストンピン挿入用の彫り込み１７をもうけ彫り込み１７にピストンピン５の先端をはめ込んでおく。一方は連結輪７をはめ込み同じように彫り込み１７にピストンピンの先端をはめ込む。
５．次に歯車取り付け部８に歯車１４を取り付ける。
６．次に上記構成のロータ２をケース１に入れる。そして左右から側面カバー１６と１９を回転防止キー２０、２１を用いてはめ込みケース１に取り付ける。
なを側面カバー１９は、歯車１４を外部歯車と噛み合はせるため切り欠き部２２をもうけておく。一方側面カバー１６は偏心軸部２３を連結輪７にはめ込む。
作動は歯車１４でロータ２を回転させる。ロータ２はＡ点を中心に回転し連結輪７はＢ点を中心に回転する。従ってピストンとシリンダは偏心回転する。
右回転を例にすると、ロータ２が回転すれば垂直線上の右側にあるシリンダのピストンはシリンダ底面に対し遠ざかる。そのため吸入行程になり吸入用流路１２より吸入用彫り込み１０を経てシリンダ内に吸入が行はれる。
一方垂直線上の左側のシリンダのピストンはシリンダ底面に対し接近して行く。そのため吐き出し行程になりシリンダから吐き出し用彫り込み１１を経て吐き出し流路１３に吐き出されて行く。
この作動を繰り返し吸入、吐き出しが行はれる。
【０００６】
【発明の効果】
以上説明したように本発明は、従来の複数の軸を接続して使用するのに対し一体の軸にしたため強度が上がり円滑な作動が期待出来る。
【図面の簡単な説明】
図１は平面図で図２は断面図である。図２の断面図のなかの吸入用彫り込み１０と吐き出し用彫り込み１１は、流路１２と１３の接続部の説明をしやすくするため上部より表してある。
【符号の説明】
１．ケース   ２．ロータ   ３．シリンダ
４．ピストン   ５．ピストンピン   ６．シリンダの切り込み
７．連結輪   ８．歯車取り付け部   ９．主軸
１０．吸入用彫り込み   １１．吐き出し用彫り込み
１２．吸入用流路   １３．吐き出し用流路   １４．歯車
１５．吸入吐き出し兼用開口部   １６．側面カバー
１７．ピストンピン挿入用彫り込み   １８．歯車移動防止ピン
１９．側面カバー   ２０．回転防止キー   ２１．回転防止キー
２２．歯車１４を外部歯車と噛み合わせるための、切り欠き部分
２３．側面カバー１６にもうけた仮装偏心軸部
２４．主軸９にもうけた偏心軸部
【図１】
0003694463.tif 000002
【図２】
0003694463.tif 000003